(57)【要約】【課題】無線リソースの利用効率を向上することである。【解決手段】通信制御装置１０は、通信品質判定部１２とランク値算出部１３とダウンロード制御部１５とを有する。通信品質判定部１２は、複数の移動局の無線通信品質を取得する。ランク値算出部１３は、通信品質判定部１２により取得された上記無線通信品質を用いて、データのダウンロード先の移動局を決定するための基準となる値を、各移動局毎に算出すると共に、第１の時点における各移動局の上記値を比較し、該比較の結果に基づき、上記値の高い移動局から順に、ダウンロード先の移動局を決定する。ダウンロード制御部１５は、ランク値算出部１３によりダウンロード先に決定された移動局に対し、データをダウンロードする。【選択図】図１
2015002385.tif 000002
【特許請求の範囲】
【請求項１】
複数の移動局の無線通信品質を取得する取得部と、
前記取得部により取得された前記無線通信品質を用いて、データのダウンロード先の移動局を決定するための基準となる値を、各移動局毎に算出すると共に、第１の時点における各移動局の前記値を比較し、該比較の結果に基づき、前記値の高い移動局から順に、ダウンロード先の移動局を決定する決定部と、
前記決定部によりダウンロード先に決定された移動局に対し、前記データをダウンロードする制御部と
を有することを特徴とする通信制御装置。
【請求項２】
前記取得部は、第２の時点における前記無線通信品質が所定の閾値以上であるか否かを、各移動局毎に判定し、
前記決定部は、前記取得部による前記判定の結果に応じて異なる値を、前記各移動局毎に設定すると共に、設定された前記値を、時間の経過に伴って更新することを特徴とする請求項１に記載の通信制御装置。
【請求項３】
前記決定部は、前記第２の時点における前記無線通信品質が前記所定の閾値以上である移動局に対し、前記値として１を設定する一方、前記第２の時点における前記無線通信品質が前記所定の閾値未満である移動局に対し、前記値として０を設定すると共に、設定された前記１の値を、時間の経過に伴って０まで減少させることを特徴とする請求項２に記載の通信制御装置。
【請求項４】
通信制御装置との間で通信を行う移動局であって、
前記移動局の無線通信品質を用いて、データのダウンロード先の移動局を決定するための基準となる値を算出する算出部と、
前記算出部により算出された値を、前記通信制御装置に送信する送信部と、
第１の時点における前記値に基づき、前記移動局がダウンロード先の移動局に決定された場合に、前記通信制御装置からダウンロードされるデータを受信する受信部と
を有することを特徴とする移動局。
【請求項５】
通信制御装置が、
複数の移動局の無線通信品質を取得し、
取得された前記無線通信品質を用いて、データのダウンロード先の移動局を決定するための基準となる値を、各移動局毎に算出すると共に、第１の時点における各移動局の前記値を比較し、該比較の結果に基づき、前記値の高い移動局から順に、ダウンロード先の移動局を決定し、
前記ダウンロード先に決定された移動局に対し、前記データをダウンロードする制御を行う
ことを特徴とする通信制御方法。
【発明の詳細な説明】
【技術分野】
【０００１】
本発明は、通信制御装置、移動局、及び通信制御方法に関する。
【背景技術】
【０００２】
近年、無線通信技術の発達に伴い、従来のＷ−ＣＤＭＡ（Wideband-Code  Division  Multiple  Access）等の無線通信方式に加えて、ＬＴＥ（Long  Term  Evolution）やＬＴＥ  Advancedといった新しい方式を用いた無線通信技術が普及しつつある。無線通信の分野では、移動局と基地局との間の限られた無線リソースを効率的に活用するための様々な技術が開発されている。かかる技術の１つとして、例えば、あらかじめ無線通信品質を所定のエリア毎に取得して、基地局の上位に設置した制御装置に保持しておき、取得した通信品質データに基づいて品質の良好なエリア内でのみ移動局が通信を行う様に、制御装置において基地局と移動局間の無線通信を制御する技術がある。これにより、無線通信のオペレータ側では、無線リソースを有効活用することができると共に、ユーザにとっても、移動局の消費電力が抑制されるという効果が得られる。
【先行技術文献】
【特許文献】
【０００３】
【特許文献１】特開２０１０−２１３３３８号公報
【特許文献２】特開２００２−２６２２６２号公報
【発明の概要】
【発明が解決しようとする課題】
【０００４】
上述した制御装置は、基地局のサービスエリアを区切ってグリッド状のエリアを複数設定し、これらのグリッド毎に、ＳＩＲ（Signal  to  Interference  Ratio）等の無線通信品質を示す情報を事前に収集する。そして、移動局がデータのダウンロード等を要求した際には、制御装置は、移動局の測定した無線通信品質と、該移動局の位置するグリッドの無線通信品質とを比較し、該比較結果に基づき、上記移動局へのダウンロードを実行するか否かを判定する。例えば、移動局のＳＩＲが閾値以上の場合には、制御装置は、ダウンロードを実行するのに十分な無線通信品質が移動局に有るものと判断し、ダウンロードの実行を決定する。しかしながら、かかる判定処理には、ダウンロード制御のための無線シグナリングが伴うため、上記制御装置は、移動局からダウンロードを要求される度に、移動局において発生したシグナリングを処理することとなる。このことが、無線リソースの効率的な利用を阻害する要因となっていた。
【０００５】
開示の技術は、上記に鑑みてなされたものであって、無線リソースの利用効率を向上することのできる通信制御装置、移動局、及び通信制御方法を提供することを目的とする。
【課題を解決するための手段】
【０００６】
上述した課題を解決し、目的を達成するために、本願の開示する通信制御装置は、一つの態様において、取得部と決定部と制御部とを有する。前記取得部は、複数の移動局の無線通信品質を取得する。前記決定部は、前記取得部により取得された前記無線通信品質を用いて、データのダウンロード先の移動局を決定するための基準となる値を、各移動局毎に算出すると共に、第１の時点における各移動局の前記値を比較し、該比較の結果に基づき、前記値の高い移動局から順に、ダウンロード先の移動局を決定する。前記制御部は、前記決定部によりダウンロード先に決定された移動局に対し、前記データをダウンロードする。
【発明の効果】
【０００７】
本願の開示する通信制御装置の一つの態様によれば、無線リソースの利用効率を向上することができる。
【図面の簡単な説明】
【０００８】
【図１】図１は、通信制御装置の機能的構成を示すブロック図である。
【図２】図２は、移動局の機能的構成を示すブロック図である。
【図３】図３は、通信制御装置のハードウェア構成を示すブロック図である。
【図４】図４は、移動局のハードウェア構成を示すブロック図である。
【図５】図５は、通信制御装置の動作を説明するためのフローチャートである。
【図６】図６は、コンテンツサーバと基地局との間におけるダウンロード制御の概要を説明するための図である。
【図７】図７は、従来におけるダウンロード制御を説明するための図である。
【図８】図８は、本実施例におけるダウンロード制御を説明するための図である。
【発明を実施するための形態】
【０００９】
以下に、本願の開示する通信制御装置、移動局、及び通信制御方法の実施例を、図面を参照しながら詳細に説明する。なお、以下の実施例により本願の開示する通信制御装置、移動局、及び通信制御方法が限定されるものではない。
【００１０】
以下、本願の開示する一実施例に係る通信制御装置の構成を説明する。図１は、通信制御装置１０の機能的構成を示すブロック図である。図１に示す様に、通信制御装置１０は、閾値ＤＢ（DataBase）１１と、通信品質判定部１２と、ランク値算出部１３と、タイミング監視部１４と、ダウンロード制御部１５とを有する。これら各構成部分は、一方向又は双方向に、信号やデータの入出力が可能な様に接続されている。
【００１１】
閾値ＤＢ１１は、ダウンロードＯＮのランク値である“１”を移動局に設定するか否かを決定するための閾値を、移動局の位置情報毎に記憶する。通信品質判定部１２は、閾値ＤＢ１１を参照し、移動局２０から通知される位置情報に対応する閾値を取得した後、移動局２０のダウンリンクの無線通信品質（例えば、ＳＩＲ）が該閾値以上であるか否かを判定する。
【００１２】
ランク値算出部１３は、上記無線通信品質が上記閾値以上である場合には、移動局２０に対し、ダウンロードＯＮのランク値の初期値ｆ（０）である“１”を設定した後、所定の算定式に基づき、ランク値ｆ（ｔ）を算出し、該ランク値への更新を行う。一方、移動局２０の無線通信品質が上記閾値未満である場合には、ランク値算出部１３は、ダウンロードＯＦＦのランク値として“０”を設定する。ランク値算出部１３は、ダウンロード用のリソースの割当て先となる移動局を決定する時、該時点（以下、「判定タイミング」と記す。）におけるランク値を移動局毎に比較する。ランク値算出部１３は、該比較の結果、上位のランク値を有する移動局から所定数分の移動局を、ダウンロード対象として選定する。
【００１３】
タイミング監視部１４は、各移動局から通知された上記無線通信品質を基にランク値の初期値（１または０）が設定された時点（以下、「設定タイミング」と記す。）からの経過時間ｔを、移動局毎に測定する。ダウンロード制御部１５は、ランク値算出部１３によるダウンロード対象移動局の決定結果に基づき、ダウンロード対象として選定された各移動局に対するデータのダウンロードを実行する。
【００１４】
上述したランク値の算出は、移動局２０が行ってもよい。図２は、移動局２０の機能的構成を示すブロック図である。図２に示す様に、移動局２０は、受信部２１と、通信品質判定部２２と、タイミング監視部２３と、ランク値算出部２４と、送信部２５とを有する。これら各構成部分は、一方向又は双方向に、信号やデータの入出力が可能な様に接続されている。
【００１５】
受信部２１は、移動局２０におけるＳＩＲ等の無線通信品質を測定する。通信品質判定部２２は、通信制御装置１０から通知された上記閾値を基に、設定タイミングにおいて、該閾値と上記無線通信品質とを比較する。タイミング監視部２３は、該比較を行った時点（上記設定タイミングに相当）からの経過時間ｔを測定する。
【００１６】
ランク値算出部２４は、上記比較の結果、測定された無線通信品質が閾値以上である場合には、ランク値の初期値ｆ（０）として、ダウンロードＯＮに対応する“１”を設定し、閾値未満である場合には、ダウンロードＯＦＦに対応する“０”を設定する。ランク値算出部２４は、所定の算定式に基づき、通信制御装置１０から通知された判定タイミングにおけるランク値を算出する。送信部２５は、ランク値算出部２４により算出されたランク値を、通信制御装置１０宛に送信する。
【００１７】
続いて、通信制御装置１０及び移動局２０のハードウェア構成を説明する。図３は、通信制御装置１０のハードウェア構成を示すブロック図である。図３に示す様に、通信制御装置１０においては、ＣＰＵ（Central  Processing  Unit）１０ｂと、ＳＤＲＡＭ（Synchronous  Dynamic  Random  Access  Memory）１０ｃと、ＨＤＤ（Hard  Disk  Drive）１０ｄと、ＮＷ（NetWork）ボード１０ｅとが、スイッチ１０ａを介して各種信号やデータの入出力が可能な様に接続されている。通信制御装置１０の機能的構成とハードウェア構成との対応関係に関し、通信制御装置１０の閾値ＤＢ１１は、例えば、ＨＤＤ１０ｄにより実現される。また、通信品質判定部１２、ランク値算出部１３、タイミング監視部１４は、例えば、ＣＰＵ１０ｂにより実現される。更に、ダウンロード制御部１５は、例えば、ＣＰＵ１０ｂとＮＷボード１０ｅとにより実現される。
【００１８】
移動局２０は、例えば、スマートフォン等の携帯型端末によって実現される。図４は、移動局２０のハードウェア構成を示すブロック図である。図４に示す様に、移動局２０は、ハードウェア的には、ＣＰＵ２０ａと、メモリ２０ｂと、ＲＦ（Radio  Frequency）回路２０ｃと、表示装置２０ｄとを有する。ＲＦ回路２０ｃは、アンテナＡ１、Ａ２を有する。メモリ２０ｂは、例えば、ＳＤＲＡＭ等のＲＡＭ、ＲＯＭ、フラッシュメモリである。表示装置２０ｄは、例えば、ＬＣＤ（Liquid  Crystal  Display）、ＥＬ（Electro  Luminescence）である。機能的構成とハードウェア構成との対応関係に関し、図２に示した各機能的構成要素の内、受信部２１、送信部２５以外の構成要素は、例えばＣＰＵ２０ａ等の集積回路により実現される。また、受信部２１と送信部２５とは、ＲＦ回路２０ｃにより実現される。
【００１９】
次に、本実施例における通信制御装置１０の動作を説明する。動作説明の前提として、以下の説明では、上述の説明に倣い、各移動局のランク値の起点となる値（初期値）を設定するタイミングを「設定タイミング」と記載すると共に、各移動局のランク値を比較するタイミングを「判定タイミング」と記載する。
【００２０】
図５は、通信制御装置１０の動作を説明するためのフローチャートである。Ｓ１では、通信制御装置１０のダウンロード制御部１５は、移動局２０を含む各移動局へのダウンロードに伴うトラヒックの総量を測定する。該測定の結果、総トラヒック量が、ネットワーク側の許容する所定容量（例えば、１００ＭＢ）の範囲内である場合（Ｓ２；Ｙｅｓ）、ダウンロード制御部１５は、収容する全ての移動局に対するダウンロードが可能であると判断し、処理を終了する。
【００２１】
上記測定の結果、Ｓ１で測定された総トラヒック量が、ネットワーク側の許容する所定容量の範囲を超える場合（Ｓ２；Ｎｏ）には、通信制御装置１０のダウンロード制御部１５は、収容する移動局の内、一部の移動局に対するダウンロードＯＦＦ制御を行う。具体的には、まず、ダウンロード制御部１５は、ダウンロード対象の候補となる移動局２０−１〜２０−Ｎを、判定タイミングにおけるランク値の高い順にソートする（Ｓ３）。なお、Ｎは自然数である。
【００２２】
次のＳ４では、通信制御装置１０のダウンロード制御部１５は、ダウンロード対象の候補となる各移動局２０−１〜２０−Ｎを識別するための値ｉに、初期値である“１”を設定する。Ｓ５では、ダウンロード制御部１５は、ｉ番目の移動局を、コンテンツデータのダウンロード先となる移動局として決定し、ダウンロードＯＮとする。
【００２３】
次のＳ６では、通信制御装置１０のダウンロード制御部１５は、現時点における総トラヒック量が、ネットワーク側の許容する上記所定容量（例えば、１００ＭＢ）の範囲内に収まるか否かの判定を再び行う。該判定の結果、ｉ番目の移動局をダウンロード先として追加した後の総トラヒック量が、ネットワーク側の許容する所定容量の範囲を超えない場合（Ｓ６；Ｙｅｓ）には、ダウンロード制御部１５は、上記値ｉに１を加算し、ｉ＝ｉ＋１とする（Ｓ７）。その後、ダウンロード制御部１５は、ダウンロードＯＮの移動局を追加した後の総トラヒック量が、上記所定容量を超える値となるまで、上述したＳ５〜Ｓ７の一連の処理を繰り返し実行する。
【００２４】
そして、上記総トラヒック量が上記所定容量を超える値となった時点（Ｓ６；Ｎｏ）で、通信制御装置１０は、ダウンロード対象の移動局の追加を中止し、一連の処理を終了する。
【００２５】
続いて、図６〜図８を参照し、通信制御装置１０の実行するダウンロード制御について、より詳細に説明する。図６は、コンテンツサーバ３０と基地局４０との間におけるダウンロード制御の概要を説明するための図である。図６に示す様に、通信制御装置１０は、コンテンツサーバ３０から配信されるダウンロード対象のコンテンツデータＤ１を中継し、基地局４０宛に送信する。送信に先立ち、通信制御装置１０は、算出された各移動局のランク値を基に、ダウンロードのＯＮまたはＯＦＦを、移動局毎に決定する。通信制御装置１０は、ダウンロードＯＮの移動局（例えば、移動局２０）に対してのみ、コンテンツデータＤ１の転送を行う。
【００２６】
換言すれば、通信制御装置１０は、ダウンロードＯＮかＯＦＦかに限らず、その中間の状態を新たに設定して、ランク値で表現することにより、ランク値の高い移動局から順に優先的に、ダウンロード用のリソースを割り当てる。これにより、コンテンツデータＤ１のダウンロード先の移動局の絞込みが実現される。従って、要求のあった全ての移動局に対してダウンロードを行っていた従来の方法と比較して、ダウンロード用のリソースの効率的な配分が可能となる。その結果、無線リソースの利用効率が向上する。
【００２７】
図７は、従来におけるダウンロード制御を説明するための図である。図８は、本実施例におけるダウンロード制御を説明するための図である。図７に示す様に、従来のダウンロード制御では、時間ｔ１の様に、全ての移動局２０−１〜２０−３においてダウンロードＯＮの状態が重なることがある。この場合、ネットワーク側が割当て可能な無線リソースの量によっては、全ての移動局２０−１〜２０−３に対して、十分なリソースが割り当てられないことがある。また、ダウンロードＯＮの最小時間単位（シグナリング周期）が、例えば、時間ｔ３−ｔ２の様に短くなり、その分、シグナリングが増えることとなる。
【００２８】
これに対し、図８に示す本実施例のダウンロード制御では、ｙ軸方向にランク値Ｒを規定する。通信制御装置１０は、各移動局２０−１〜２０−３の設定タイミングにおける無線通信品質が閾値以上であるか否かに応じて、１（ＯＮ）または０（ＯＦＦ）を設定する。例えば、無線通信品質としてＳＩＲを使用する場合、設定タイミングｔ１１における移動局２０−１のＳＩＲの値が閾値（例えば、０ｄＢ）以上であるとき、図８に示す様に、設定タイミングｔ１１のランク値Ｒは、“１”に設定される。設定されたランク値Ｒ“１”は、次の設定タイミングｔ１２まで、時間の経過と共に漸減する。一方、設定タイミングｔ１３の様に、設定タイミングにおける移動局２０−１のＳＩＲの値が閾値（例えば、０ｄＢ）未満である場合には、ランク値Ｒは、少なくとも次の設定タイミングまで“０”を維持する。
【００２９】
ランク値Ｒは、他の移動局２０−２、２０−３に関しても同様に推移する。すなわち、図８に示す様に、設定タイミングｔ２１における移動局２０−２のＳＩＲの値が閾値（例えば、０ｄＢ）以上であるとき、設定タイミングｔ２１のランク値Ｒは“１”に設定される。設定されたランク値Ｒ“１”は、次の設定タイミングｔ２２まで、時間の経過と共に漸減する。一方、設定タイミングｔ２３の様に、設定タイミングにおける移動局２０−２のＳＩＲの値が閾値（例えば、０ｄＢ）未満である場合には、ランク値Ｒは、少なくとも次の設定タイミングまで“０”を維持する。
【００３０】
ランク値Ｒの漸減の仕方は、上記所定の算定式に従う。算定式は、時間ｔにおけるランク値ｆ（ｔ）と、無線通信品質の通知間隔（シグナリング周期）Ｔｃとを用いて、例えば、下記数式（１）により表される。
【００３１】
ｆ（ｔ）＝（Ｔｃ−ｔ）／Ｔｃ・・・（１）
【００３２】
これにより、本実施例に係るダウンロード制御は、従来のダウンロード制御（図７参照）と比較して、シグナリング周期を長くとることができる。従って、各移動局２０−１〜２０−３と通信制御装置１０との間におけるシグナリング数は減少する。
【００３３】
また、通信制御装置１０は、判定タイミングでランク値ｆ（ｔ）が上位の移動局を優先してダウンロードＯＮとすることで、長い通知間隔（シグナリング周期）であっても、通知間隔が短い場合と同等のダウンロード制御が可能となる。例えば、図８に示す様に、判定タイミングが時間ｔ４である場合、移動局２０−１のランク値ｆ（ｔ４）は、移動局２０−３のランク値ｆ（ｔ４）よりも大きい値をとる。また、移動局２０−２のランク値ｆ（ｔ４）は、“０”である。従って、移動局２０−１、２０−３、２０−２の優先順位で、ダウンロードがＯＮとなる。
【００３４】
同様に、判定タイミングが時間ｔ５である場合、ランク値ｆ（ｔ５）は、移動局２０−１、２０−３、２０−２の順に高いので、移動局２０−１、２０−３、２０−２の優先順位で、ダウンロード先が決定される。一方、判定タイミングが時間ｔ６である場合、各移動局のランク値ｆ（ｔ６）は、移動局２０−２、２０−１、２０−３の順に高いため、移動局２０−２、２０−１、２０−３の優先順位で、ダウンロードがＯＮとなる。
【００３５】
なお、通信制御装置１０は、上記所定の算定式として、他の数式を適用することで、ランク値Ｒの挙動の調整が可能である。例えば、所定の算定式が、ｆ（ｔ）＝１−（ｔ／Ｔｃ）２・・・（２）である場合、上記数式（１）の場合と異なり、通信制御装置１０は、ランク値Ｒを非線形的に変化させることができる。その他の算定式として、通信制御装置１０は、例えば、ｆ（ｔ）＝１−ｔ／ｎＴｃ・・・（３）、ｆ（ｔ）＝１−（ｔ／Ｔｃ）ｎ・・・（４）を適用することで、シグナリング周期をより長くして、シグナリング数を更に減らすことができる。反対に、通信制御装置１０は、例えば、ｆ（ｔ）＝１−ｎｔ／Ｔｃ・・・（５）を用いることで、シグナリング周期を短縮することができる。なお、上記各数式（３）〜（５）において、ｎは自然数である。
【００３６】
以上説明した様に、本実施例に係る通信制御装置１０は、通信品質判定部１２とランク値算出部１３とダウンロード制御部１５とを有する。通信品質判定部１２は、複数の移動局の無線通信品質を取得する。ランク値算出部１３は、通信品質判定部１２により取得された上記無線通信品質を用いて、データのダウンロード先の移動局を決定するための基準となる値（ランク値Ｒ）を、各移動局毎に算出する。また、ランク値算出部１３は、第１の時点（判定タイミングｔ４、ｔ５、ｔ６）における各移動局の上記値を比較し、該比較の結果に基づき、上記値の高い移動局から順に、ダウンロード先の移動局を決定する。ダウンロード制御部１５は、ランク値算出部１３によりダウンロード先に決定された移動局に対し、データをダウンロードする。
【００３７】
通信制御装置１０において、通信品質判定部１２は、第２の時点（設定タイミングｔ１１〜ｔ１４、ｔ２１〜ｔ２３、ｔ３１〜ｔ３４）における上記無線通信品質が所定の閾値以上であるか否かを、各移動局毎に判定するものとしてもよい。ランク値算出部１３は、通信品質判定部１２による上記判定の結果に応じて異なる値を、上記各移動局毎に設定すると共に、設定された上記値を、時間の経過に伴って更新するものとしてもよい。
【００３８】
また、通信制御装置１０において、ランク値算出部１３は、上記第２の時点における上記無線通信品質が上記所定の閾値以上である移動局に対し、上記値として１を設定する一方、上記第２の時点における上記無線通信品質が上記所定の閾値未満である移動局に対し、上記値として０を設定するものとしてもよい。更に、ランク値算出部１３は、設定された上記１の値を、時間の経過に伴って０まで減少させるものとしてもよい。
【００３９】
更に、ランク値算出の主体は、移動局２０であってもよい。かかる態様では、移動局２０は、ランク値算出部２４と送信部２５と受信部２１とを有する。ランク値算出部２４は、移動局２０の無線通信品質を用いて、データのダウンロード先の移動局を決定するための基準となる値（ランク値Ｒ）を算出する。送信部２５は、ランク値算出部２４により算出された値を、通信制御装置１０に送信する。受信部２１は、第１の時点（判定タイミングｔ４、ｔ５、ｔ６）における上記値に基づき、移動局２０がダウンロード先の移動局に決定された場合に、通信制御装置１０からダウンロードされるデータを受信する。
【００４０】
上述した様に、通信制御装置１０は、ダウンロードのＯＮ、ＯＦＦに加えて、その中間の状態を創設し、何れの移動局に対してダウンロードを実行するかの判定を行う時点（判定タイミング）でランク値の高い移動局から優先的に、ダウンロード用リソースを割り当てる。通信制御装置１０は、上記中間の状態を設定する際、移動局２０からの無線通信品質の設定タイミングにおける無線通信品質が閾値以上であれば、ランク値“１”を設定し、閾値未満であれば“０”を設定する。通信制御装置１０は、ランク値“１”を、次の設定タイミング（シグナリング周期の終了時）まで、経時的に漸減させる制御を行う。これにより、通信制御装置１０は、シグナリングを削減しつつ、無線リソースの利用効率を向上する観点から最適なダウンロード制御の実行を可能とする。
【００４１】
なお、上記実施例では、無線通信品質の通知間隔（シグナリング周期）Ｔｃは、各移動局毎に一定の値を採るものとした。しかしながら、通知間隔Ｔｃは、移動局毎に、適応的に異なる値を採るものとしてもよい。例えば、通信制御装置１０は、パラメータとして、移動局の移動速度を用いる場合、速度の遅い移動局ほど、ＳＩＲの時間変動は小さいことから、通知間隔Ｔｃを長くとり、ランク値ｆ（ｔ）の時間変動を抑えることが好ましい。これに対し、高速で移動する移動局は、ＳＩＲの時間変動が大きいことから、これに合わせて、通信制御装置１０は、通知間隔Ｔｃを短くすることで、ランク値ｆ（ｔ）の時間変動を大きくすることが好ましい。また、移動局毎に異なる通知間隔Ｔｃを設定するためのパラメータは、移動局の移動速度に限らず、他の移動局との干渉の程度や、移動局の周辺環境（例えば、遮蔽物や反射物の有無）等であってもよい。
【００４２】
更に、１つの移動局においても、無線通信品質の通知間隔（シグナリング周期）Ｔｃは、時間の経過と共に、適応的に異なる値を採るものとしてもよい。例えば、通信制御装置１０は、パラメータとして、移動局の移動速度を用いる場合、移動局２０の速度が遅い時には、ＳＩＲの時間変動は小さいことから、通知間隔Ｔｃを長くとり、ランク値ｆ（ｔ）の時間変動を抑えることが好ましい。これに対し、移動局２０が高速で移動している時には、ＳＩＲの時間変動が大きいことから、これに合わせて、通信制御装置１０は、通知間隔Ｔｃを短くすることで、ランク値ｆ（ｔ）の時間変動を大きくすることが好ましい。また、時間ｔに応じて異なる通知間隔Ｔｃを設定するためのパラメータは、移動局の移動速度に限らず、他の移動局との干渉の程度や、移動局の周辺環境（例えば、遮蔽物や反射物の有無）等であってもよい。
【００４３】
また、ダウンロードＯＮのランク値である“１”を移動局に設定するか否かを決定するための閾値の設定に関し、上記実施例では、通信制御装置１０は、基地局から離れた位置に在圏する移動局ほど、低い閾値を用いるものとした。しかしながら、通信制御装置１０は、基地局からの距離に拘らず、一定の閾値（例えば、０ｄＢ）を用いて、ランク値の初期値（０または１）を決定するものとしてもよい。あるいは、基地局からの距離に限らず、移動局の移動速度、他の移動局との干渉の程度、遮蔽物の有無、ＱｏＳ（Quality  of  Service）等、他のパラメータを指標として、通信制御装置１０は、閾値の設定、及び該閾値を用いたランク初期値の決定を行うものとしてもよい。
【００４４】
更に、上記実施例では、移動局２０として、スマートフォンを想定して説明したが、本発明は、スマートフォンに限らず、携帯電話、Personal  Digital  Assistant（ＰＤＡ）等、無線通信品質を測定可能な様々な通信機器に対して適用可能である。また、無線通信品質についても、ＳＩＲ値に限らず、電波強度を表すＲＳＳＩ（Received  Signal  Strength  Indication）値や、ＳＩＮＲ（Signal  to  Interference  and  Noise  Ratio）値、ＲＳＲＰ（Reference  Signal  Received  Power）値、ＲＳＲＱ（Reference  Signal  Received  Quality）値であってもよい。あるいは、ＣＱＩ（Channel  Quality  Indicator）、ＰＭＩ（Precoding  Matrix  Indicator）、ＲＩ（Rank  Indicator）、ＬＩ（Layer  Indicator）等のＣＳＩ（Channel  State  Information）であってもよい。
【００４５】
また、各移動局の無線通信品質が閾値以上である場合に設定するランク初期値は、“１”に限らず、“０．５”や“２”等、１以外の数値であってもよい。また、ランク初期値は、無線通信品質を報告した移動局毎に、必ずしも一定の値でなくてもよく、移動局の移動速度等をパラメータとして、可変的に設定されるものとしてもよい。例えば、移動速度の遅い移動局ほど、ランク値は変動し難いため、通信制御装置１０は、無線通信品質が閾値以上となった移動局に対し、低めのランク初期値である“０．５”を設定し、ランク値ｆ（ｔ）の時間変動を抑制するものとしてもよい。反対に、移動速度の大きい移動局に対しては、通信制御装置１０は、“１”よりも高いランク初期値である“２”を設定することで、ランク値ｆ（ｔ）を変動し易くするといった調整を行ってもよい。更に、シグナリング周期終了時における減少後の値についても、必ずしも“０”でなくてもよく、１未満の値であればよい。
【００４６】
また、通信制御装置１０は、図６に示した様に、必ずしも独立した装置でなくてもよく、コンテンツサーバ３０内または基地局４０内に組み込まれるものとしてもよい。
【００４７】
更に、図１に示した通信制御装置１０の各構成要素は、必ずしも物理的に図示の如く構成されていることを要しない。すなわち、各装置の分散・統合の具体的態様は、図示のものに限らず、その全部又は一部を、各種の負荷や使用状況等に応じて、任意の単位で機能的又は物理的に分散・統合して構成することもできる。例えば、通信制御装置１０のランク値算出部１３とタイミング監視部１４、あるいは、通信品質判定部１２と閾値ＤＢ１１をそれぞれ１つの構成要素として統合してもよい。反対に、ランク値算出部１３に関し、判定タイミングにおける各移動局のランク値Ｒを算出する部分と、ランク値Ｒの比較結果に基づき、ダウンロード先の移動局を選定する部分とに分散してもよい。また、ＨＤＤ１０ｄを、通信制御装置１０の外部装置として、ネットワークやケーブル経由で接続する様にしてもよい。
【符号の説明】
【００４８】
１０  通信制御装置
１０ａ  スイッチ
１０ｂ  ＣＰＵ（Central  Processing  Unit）
１０ｃ  ＳＤＲＡＭ（Synchronous  Dynamic  Random  Access  Memory）
１０ｄ  ＨＤＤ（Hard  Disk  Drive）
１０ｅ  ＮＷ（NetWork）ボード
１１  閾値ＤＢ（DataBase）
１２  通信品質判定部
１３  ランク値算出部
１４  タイミング監視部
１５  ダウンロード制御部
２０、２０−１、２０−２、２０−３、・・・、２０−Ｎ  移動局
２０ａ  ＣＰＵ
２０ｂ  メモリ
２０ｃ  ＲＦ（Radio  Frequency）回路
２０ｄ  表示装置
２１  受信部
２２  通信品質判定部
２３  タイミング監視部
２４  ランク値算出部
２５  送信部
３０  コンテンツサーバ
４０  基地局
Ａ１、Ａ２  アンテナ
Ｄ１、Ｄ１１、Ｄ１２、Ｄ１３、Ｄ２１、Ｄ２２、Ｄ３１、Ｄ３２  ダウンロードコンテンツデータ
ｆ（ｔ）、Ｒ  ランク値
ｔ、ｔ１、ｔ２、ｔ３  時間
ｔ４、ｔ５、ｔ６  判定タイミング
ｔ１１〜ｔ１４、ｔ２１〜ｔ２３、ｔ３１〜ｔ３４  設定タイミング
Ｔｃ  無線通信品質の通知間隔（シグナリング周期）
【図１】
2015002385.tif 000003
【図２】
2015002385.tif 000004
【図３】
2015002385.tif 000005
【図４】
2015002385.tif 000006
【図５】
2015002385.tif 000007
【図６】
2015002385.tif 000008
【図７】
2015002385.tif 000009
【図８】
2015002385.tif 000010